(57)【要約】      （修正有）【課題】ランドセルに取付ける補強金具の違和感や強度不足の解消およびエッジ部分でのけがを防止する。【解決手段】反発力を有する帯状に形成した金属板を断面略Ｕ字形に折り曲げて左右対称位置に狭持部１３、１３を形成し、該狭持部の先端面中央にＵ字形の凹溝部１５をそれぞれ設け、該凹溝部の上下両側で先端を鋭角に形成した係止爪部１６を互いに対向させて形成した金具本体１１と、一側に鰐口状の開口部２２を設け、該開口部の上下両端を上下方向に突出させて覆片部２３を形成し、該開口部の中央内側に断面Ｕ字状の係止溝部２５を設けた可撓性を有する合成樹脂材により形成した保護カバー２１とからなり、該保護カバーの係止溝部２５に前記金具本体１１を固着して一体に形成したことを特徴とする。【選択図】図３
0003129915.tif 000002
【実用新案登録請求の範囲】
【請求項１】
反発力を有する帯状に形成した金属板を断面略Ｕ字形に折り曲げて左右対称位置に狭持部（１３、１３）を形成し、該狭持部の先端面中央にＵ字形の凹溝部（１５）をそれぞれ設け、該凹溝部の上下両側で先端を鋭角に形成した係止爪部（１６）を互いに対向させて形成した金具本体（１１）と、
一側に鰐口状の開口部（２２）を設け、該開口部の上下両端を上下方向に突出させて覆片部（２３）を形成し、該開口部の中央内側に断面Ｕ字状の係止溝部（２５）を設けた可撓性を有する合成樹脂材により形成した保護カバー（２１）とからなり、
該保護カバーの係止溝部（２５）に前記金具本体（１１）を固着して一体に形成したことを特徴とするランドセルまたはかばん用補強金具。
【請求項２】
前記保護カバー（２１）を、ランドセル（１）またはかばんなどの表皮の色と同一色に形成し、または保護カバー（２１）の表面に各種アニメキャラクター図形や模様などを施こしたことを特徴とする請求項１記載のランドセルまたはかばん用補強金具。
【考案の詳細な説明】
【技術分野】
【０００１】
本考案は、ランドセルまたはかばんなどを構成する背板とマチ板および蓋板の重合部分を縫着した側縁部分に取付ける補強金具の改良に関する。
【背景技術】
【０００２】
従来、ランドセルまたはかばんなど（以下、ランドセルという）を縫製する際、特にランドセルの縫製工程において、背板の周縁に設けた縫代部分にそれぞれ用途の相違するマチ板端部と蓋板の端部を重ねて縫着する作業がある。この重合部分は、各部材が厚く硬いため縫製には強い力が要求されることからその多くは工業用ミシンにより縫製されている。しかし、この重合部分を構成するマチ板の端部や蓋板の端部は引っ張られる方向がそれぞれ相違するため工業用ミシンで画一的に縫製すると、蓋板の開閉やマチ板の伸縮方向に微妙な違和感が生じる。したがって、高級なランドセルや、品質の良いランドセルの場合、重合部分の強度を保つためその多くは高度で熟練した縫製技術を有した職人の手縫いによって行われている。
【０００３】
一方、ランドセルを構成する重合分部のうち、特に側縁部上端（以下、側縁縫代部という）は、前記したごとく、縫着したマチ板や蓋板の側縁縫代部はそれぞれ違う方向に引っ張られる力が強く働くこと、側縁縫代部が使用中にあちこちに当たり強い衝撃を受けること、さらにはランドセルは長期間（小学時代の６年間）使用することと、小学生も高学年になるとランドセルの取扱いが乱暴になることなどから、経年変化と共に擦り切れ、糸ほつれや糸切れなどにより縫製強度が不足しがちになる。特に傷みの激しい側縁縫代部には、変形や糸ほつれや糸切れなどを防止するためあらかじめ補強金具を取付けて強度不足の解消を図っている。
【０００４】
この側縁縫代部に取付けられている補強金具は、皮革製の扁平に形成した補強部片を縫着して形成したものや、金属板を断面コ字形に折り曲げて形成した金具本体の側面板部の先端辺を、該補強金具の開口部をランドセルの側縁部上方に開口部側から差し込んで側面板部を左右からかしめて狭着させて取付けたものなどが知られている（例えば、特許文献１、２参照）。
【０００５】
【特許文献１】実公昭７−３６４８８号
【特許文献２】実開昭６３−４５６１５号
【考案の開示】
【考案が解決しようとする課題】
【０００６】
前記皮革製の補強部片は、長期間の使用による摩擦で擦り切れ見映えが悪く、金属性の補強金具の場合は、長期間の使用によってかしめ部分が開くのを防止するため、小さい金属片であるが肉厚の鋼板を使用して形成してあるため重く、また、金属部材の地金の表面には、錆止め用のメッキ加工を施しただけであるため、ランドセルの皮革部分の色と相違して違和感を有していた。さらには、ランドセルの長期間使用によってメッキ部分が剥がれたり、経年変化により補強金具の狭着力が弱わまったりして抜けやすくなる。さらにはまた、エッジ部分は、長期間に使用により摩耗して鋭くなり、該エッジ部分で怪我をするおそれが有るなど多くの問題点を有している。
【０００７】
そこで本考案は、補強金具の一部分に薄厚の鋼板を使用して軽量化を図ると共に、補強金具の表面全体に合成樹脂材により形成した保護カバーを被せることにより、補強金具全体の軽量化を図ると共に、狭着力の劣化や摩耗によるエッジ部分での怪我を防止し、且つ、保護カバーをランドセルの地色と同一色に形成することにより違和感のない補強金具を提供するものである。
【課題を解決するための手段】
【０００８】
本考案は、反発力を有する帯状に形成した金属板を断面略Ｕ字形に折り曲げて左右対称位置に狭持部１３、１３を形成し、該狭持部の先端面中央にＵ字形の凹溝部１５をそれぞれ設け、該凹溝部の上下両側で先端を鋭角に形成した係止爪部１６を互いに対向させて形成した金具本体１１と、一側に鰐口状の開口部２２を設け、該開口部の上下両端を上下方向に突出させて覆片部２３を形成し、該開口部の中央内側に断面Ｕ字状の係止溝部２５を設けた可撓性を有する合成樹脂材により形成した保護カバー２１とからなり、該保護カバーの係止溝部２５に前記金具本体１１を固着して一体に形成したことを特徴とする。また、前記保護カバー２１をランドセル１またはかばんなどの表皮と同一色に形成し、または保護カバー２１の表面に各種アニメキャラクター図形や模様などを施したことを特徴とする。
【０００９】
したがって、補強金具１０の一部分に薄圧の鋼板により形成した金具本体１１を使用して軽量化と強度性を高めると共に、保護カバー２１の表面全体をランドセル１の地色と同一色に形成することにより、ランドセル１と補強金具１０との違和感をなくし、さらには保護カバー２１の表面に各種模様やアニメキャラクターなどを表現することにより子供の興味を引くワンポイントを有した補強金具１０を提供することができる。
【考案を実施するための最良の形態】
【００１０】
本考案の実施の形態を図面により説明すると、図１は補強金具を取付けた側縁縫代部の蓋板を開いた状態を示す要部拡大斜視図、図２は補強金具の斜視図、図３は補強金具の分解斜視図、図４は補強金具の中央縦断面図、図５は補強金具をランドセルの側縁縫代部に取付けた状態を示す要部拡大断面図である。本考案に係る補強金具１０は、反発力を有する帯状に形成した薄厚鋼板により形成した金具本体１１と、該金具本体の外周面全体を合成樹脂材により形成した保護カバー２１で覆って一体に形成してある。
【００１１】
前記金具本体１１は、反発力を有する帯状に形成した金属板を断面略Ｕ字形に折り曲げて左右対称位置に狭持部１３、１３を形成し、該狭持部の先端面中央にＵ字形の凹溝部１５をそれぞれ設け、該凹溝部の上下両側で先端を鋭角に形成した一対の係止爪部１６を互いに対向させて設けてある。前記左右の狭持部１３、１３は、外方向に向かってやや左右に広がったハの字状に形成し、ランドセル１の側縁縫代部７に装着しやすくしてある。
【００１２】
前記金具本体１１に設けた係止爪部１６は、それぞれ先端を先鋭にした三角形状に形成し、その先端を内側に折り曲げて対向させることにより、補強金具１０を側縁縫代部７に取付ける際、前記係止爪部１６が側縁縫代部７にそれぞれ喰い込みやすくすると共に、一度喰い込ませた後、係止爪部１６が抜けにくくなり補強金具１０の脱落を防止することができる。
【００１３】
前記保護カバー２１は、可撓性を有する合成樹脂材により全体を断面Ｕ字型に形成し、一側に鰐口状の開口部２２を設け、該開口部の両側で上下両端を上下方向に突出させて覆片部２３を形成し、該開口部の内側中央で周方向にＵ字状の係止溝部２５を設けてある。この係止溝部２５の両端中央に前記金具本体１１の凹溝部１５と嵌合する係止突起２６を一体に設けてある。
【００１４】
前記保護カバー２１の覆片部２２は、上下両端をそれぞれやや内側に傾斜させ、補強金具１０を前記ランドセル１の側縁縫代部７に取付けたとき、該側縁縫代部の上端部分を左右から覆い、側縁縫代部７を縫着してある糸のほつれや糸切れを防止し、さらには側縁縫代部７に当たる衝撃を吸収し変形するのを防止している。
【００１５】
前記金具本体１１を保護カバー２１に取付ける場合、保護カバー２１の係止溝部２５に金具本体１１を収容すると共に、該金具本体の凹溝部１５と係止溝部２５の係止突起２６とを嵌合固着させることにより、金具本体１１の脱落やガタツキを防止することができる。
【００１６】
金具本体１１の外面全体を保護カバー２１で覆って形成したことにより、金具本体１１のさび付きによる劣化や、長期間の使用による摩耗によって鋭くなったエッジ部分で子供が怪我したりすることを防止することができる。また、保護カバー２１は、合成樹脂材で形成してあるため、該保護カバーをランドセル１の表皮の色と同一色で形成したり、表面に任意形状の模様を施すことが容易である。
【００１７】
保護カバー２１をランドセル１の表皮の色、例えば、男物は黒や茶、女物は赤やピンクと同一色に形成することにより、ランドセルの表皮と同色で違和感がなく一体的に形成することができるので、ランドセルに装着した補強金具１０が目立たせずに使用することができる。さらには、保護カバー２１の表面に前記したごとく、各種模様やアニメキャラクターの絵を表現することにより、補強金具１０がワンポイントのマークとなり、同じような他人のランドセルとの取り違えを防止することができると共に、ワンポイントマークを子供の好きな模様やアニメキャラクターにすることにより、さらにランドセルを楽しむことができる。
【００１８】
以下、本考案の実施形態の作用について説明すると、縫製が終了したランドセル１の側縁縫代部７に、例えば、ランドセルと同一色に形成した補強金具１０を取付ける場合、保護カバー２１の先端開口部２２をハの字状で上下方向は鰐口形と広く開いて形成してあるため、側縁縫代部７の所定箇所に取付けしやすく、ランドセル１の側縁縫代部７の外側端面が補強金具１０の開口部２２の奥端まで容易に深く差し込むことができる。
【００１９】
次いで、側縁縫代部７の奥端まで差し込んだ補強金具１０の左右狭持部１３、１３を周知の締着冶具（図示せず）を使用して左右から側縁縫代部７側に係止爪部１６を喰い込ませて締着しながらかしめ止めする。
【００２０】
前記左右狭持部１５を側縁縫代部７に左右からかしめると係止爪部１６の先端が側縁縫代部７に喰い込んで係止すると共に、該狭持部１５が具有する反発力で側縁縫代部７を左右から狭着することができる。
【００２１】
したがって、補強金具１０の有する反発力で狭着させたこと、および係止爪部１６で側縁縫代部７の両側から喰い込ませて取付けたことなどにより、長期間使用しても金属疲労による狭着力の劣化や、側縁縫代部７の上端を覆片部１８で覆ったことにより縫着糸のほつれや糸切れ、さらには側縁縫代部７の経年変化を防止し、ランドセルを長期間丈夫で長持ちさせることができる。
【００２２】
補強金具１０を構成する保護カバー２１で各係止爪部１６、１６を除く金具本体１１の表面略全体を覆ったことにより、金具本体１１の表面が外気に直接触れないのでさび付きによる劣化や長期間の使用による摩耗を防止して補強金具１０による子供の怪我を防止することができる。
【００２３】
保護カバー２１を合成樹脂材で形成したことにより、ランドセル１の形状や表皮の色に合わせて容易に形成することができ、例えば、男物のランドセルの場合は黒や茶、女物のランドセルの場合は赤やピンクなどの同一色で形成することにより、ランドセル１の表皮と同一色で違和感のない補強金具１０を一体的に取付けることができるので、補強金具１０を目立たせずに使用することができる。
【００２４】
さらには、保護カバー２１を単一色ではなく、表面に各種模様やアニメキャラクターの絵などを表現することによりワンポイントマークとなり、他人の同種ランドセルと一目で判別することができるので、ランドセル１の取り違えを防止することができると共に、子供の好きな模様やアニメキャラクターにすることによりランドセル１をさらに楽しむことができる。
【図面の簡単な説明】
【００２５】
【図１】補強金具を取付けた側縁縫代部の蓋板を開口した状態を示す要部拡大斜視図である。
【図２】補強金具の斜視図である。
【図３】補強金具の分解斜視図である。
【図４】補強金具の中央縦断面図である。
【図５】補強金具をランドセルの側縁縫代部に取付けた状態を示す要部拡大断面図である。
【符号の説明】
【００２６】
１    ランドセル
２    背板
３    マチ板
５    蓋板
７    側縁縫代部
１０    補強金具
１１    金具本体
１３    狭持部
１５    凹溝部
１６    係止爪部
２１    保護カバー
２２    開口部
２３    覆片部
２５    係止溝部
２６    係止突起
【図１】
0003129915.tif 000003
【図２】
0003129915.tif 000004
【図３】
0003129915.tif 000005
【図４】
0003129915.tif 000006
【図５】
0003129915.tif 000007